(57)【要約】【課題】放送局のウェブサイトへのアクセスや、セグメントスキャンあるいはチャンネルスキャンなどの無駄な処理や、通信費を要することなく、受信装置において、放送されているサービスを容易に把握できる放送方法および放送装置を提供する。【解決手段】少なくとも１つのサービスを割り当て可能な複数の周波数領域から構成される放送波を送信するにあたり、前記周波数領域と前記サービスとの対応関係を示す周波数編成情報を作成し、該作成した周波数編成情報を、前記サービスが割り当てられていない特定の周波数領域に割り当てて送信する。【選択図】図４
2008289013.tif 000002
【特許請求の範囲】
【請求項１】
少なくとも１つのサービスを割り当て可能な複数の周波数領域から構成される放送波を送信するにあたり、
前記周波数領域と前記サービスとの対応関係を示す周波数編成情報を作成し、該作成した周波数編成情報を、前記サービスが割り当てられていない特定の周波数領域に割り当てて送信することを特徴とする放送方法。
【請求項２】
前記特定の周波数領域は、前記放送波の中心周波数を含むことを特徴とする請求項１に記載の放送方法。
【請求項３】
前記複数の周波数領域の各々は、物理チャンネルであることを特徴とする請求項１または２に記載の放送方法。
【請求項４】
前記複数の周波数領域の各々は、所定の一つの物理チャンネルにおけるＯＦＤＭセグメントであることを特徴とする請求項１または２に記載の放送方法。
【請求項５】
少なくとも１つのサービスを割り当て可能な複数の周波数領域から構成される放送波を送信する放送装置であって、
前記周波数領域と前記サービスとの対応関係を示す周波数編成情報を作成する周波数編成情報作成手段と、
該周波数編成情報作成手段で作成した周波数編成情報を、前記サービスが割り当てられていない特定の周波数領域に割り当てて送信する送信手段と、
を有することを特徴とする放送装置。
【請求項６】
前記送信手段は、前記放送波の中心周波数を含む周波数領域を前記特定の周波数領域として、該特定の周波数領域に前記周波数編成情報を割り当てて送信することを特徴とする請求項５に記載の放送装置。
【請求項７】
前記送信手段は、前記特定の周波数領域を特定の物理チャンネルとして、該特定の物理チャンネルに前記周波数編成情報を割り当てて送信することを特徴とする請求項５または６に記載の放送装置。
【請求項８】
前記送信手段は、前記特定の周波数領域を特定の物理チャンネルにおける所定のＯＦＤＭセグメントとして、該所定のＯＦＤＭセグメントに前記周波数編成情報を割り当てて送信することを特徴とする請求項５または６に記載の放送装置。
【発明の詳細な説明】
【技術分野】
【０００１】
本発明は、デジタルテレビジョン放送やデジタル音声放送におけるデジタル放送信号の放送方法および放送装置に関するものである。
【背景技術】
【０００２】
例えば、日本国において運用されている地上デジタルテレビジョン放送は、ＩＳＤＢ−Ｔ（Integrated Services Digital Broadcasting for Terrestrial）方式と呼ばれ、ＯＦＤＭ(Orthogonal Frequency Division Multiplexing)変調方式を採用している。このＩＳＤＢ−Ｔ方式は、一つの物理チャンネルの伝送帯域を１３個のセグメントに分割し、そのうちの１個のセグメント（中央のセグメント番号０）を、携帯電話機やＰＤＡ（Personal Digital Assistant）などの携帯端末用の地上デジタル放送、いわゆる１セグ放送に割り当てている。
【０００３】
上記のＩＳＤＢ−Ｔ方式を採用する放送装置として、最近では、例えば、複数の放送局のデジタル放送波を受信して、それぞれ１セグ放送を抜き出し、それらを連結して上記の放送局の物理チャンネルとは異なる所定の物理チャンネルで再送信するようにした放送装置が提案されている（例えば、特許文献１参照）。また、放送局のデジタル放送波から抜き出した１セグ放送に加えて、独自コンテンツを連結して、所定の物理チャンネルで送信するようにした放送装置も提案されている。
【０００４】
【特許文献１】特開２００６−１０９２８３号公報
【発明の開示】
【発明が解決しようとする課題】
【０００５】
上記の特許文献１のように、所定の物理チャンネルの各セグメントを１セグ放送で構成して放送する場合には、放送地域が変わると、サービスのセグメント配置が変わることが考えられる。特に、既存のサービスに独自コンテンツを追加して放送する場合には、放送地域が変わると、独自コンテンツやそのセグメント配置が変わる可能性が高くなる。
【０００６】
このため、当該物理チャンネルにおけるサービスのセグメント配置をユーザが把握して、所望の１セグ放送を部分受信するには、当該物理チャンネルの放送局のウェブサイトにアクセスして、サービスのセグメント配置情報を取得したり、あるいは、当該物理チャンネルのセグメントをスキャンして、サービスのセグメント配置を把握したり、する必要がある。
【０００７】
しかしながら、放送局のウェブサイトからサービスのセグメント配置情報を取得するには、取得毎に放送局のウェブサイトにアクセスする必要があるため、取得に時間がかかるとともに、通信費がかかることが懸念される。また、物理チャンネル内のセグメントをスキャンしてサービスのセグメント配置情報を把握する場合には、全てのサービスのセグメント配置情報を把握するのに、時間がかかることが懸念される。
【０００８】
なお、所定の物理チャンネルにおいて、独自コンテンツのみを連結して放送することも考えられる。しかし、この場合においても、当該物理チャンネルにおけるサービスのセグメント配置を把握するには、上述した場合と同様に、当該物理チャンネルの放送局のウェブサイトにアクセスしたり、当該物理チャンネルのセグメントをスキャンしたり、する必要があるため、同様の問題が生じることになる。
【０００９】
また、地上デジタルテレビジョン放送においては、放送地域によって、使用されている物理チャンネルが変わったり、物理チャンネルが同じでも放送局が変わったりする場合が考えられる。このような場合、使用されている物理チャンネルや、放送局（サービス）を把握するには、放送局のウェブサイトにアクセスしたり、物理チャンネルをスキャンしたり、する必要があるため、同様の問題が生じることになる。
【００１０】
同様に、ＩＳＤＢ−Ｔｓｂ（ISDB for Terrestrial Sound Broadcasting）を採用する地上デジタル音声放送においても、放送地域に応じて、サービスのセグメント配置を変更したり、独自コンテンツを追加したり、放送チャンネルを変更あるいは追加したり、することが考えられるが、これらの場合にも、同様の問題が生じることになる。
【００１１】
したがって、かかる事情に鑑みてなされた本発明の目的は、放送局のウェブサイトへのアクセスや、セグメントスキャンあるいはチャンネルスキャンなどの無駄な処理や、通信費を要することなく、受信装置において、放送されているサービスを容易に把握できる放送方法および放送装置を提供することにある。
【課題を解決するための手段】
【００１２】
上記目的を達成する請求項１に係る放送方法の発明は、少なくとも１つのサービスを割り当て可能な複数の周波数領域から構成される放送波を送信するにあたり、
前記周波数領域と前記サービスとの対応関係を示す周波数編成情報を作成し、該作成した周波数編成情報を、前記サービスが割り当てられていない特定の周波数領域に割り当てて送信することを特徴とするものである。
【００１３】
請求項２に係る発明は、請求項１に記載の放送方法において、
前記特定の周波数領域は、前記放送波の中心周波数を含むことを特徴とするものである。
【００１４】
請求項３に係る発明は、請求項１または２に記載の放送方法において、
前記複数の周波数領域の各々は、物理チャンネルであることを特徴とするものである。
【００１５】
請求項４に係る発明は、請求項１または２に記載の放送方法において、
前記複数の周波数領域の各々は、所定の一つの物理チャンネルにおけるＯＦＤＭセグメントであることを特徴とするものである。
【００１６】
さらに、上記目的を達成する請求項５に係る放送装置の発明は、少なくとも１つのサービスを割り当て可能な複数の周波数領域から構成される放送波を送信する放送装置であって、
前記周波数領域と前記サービスとの対応関係を示す周波数編成情報を作成する周波数編成情報作成手段と、
該周波数編成情報作成手段で作成した周波数編成情報を、前記サービスが割り当てられていない特定の周波数領域に割り当てて送信する送信手段と、
を有することを特徴とするものである。
【００１７】
請求項６に係る発明は、請求項５に記載の放送装置において、
前記送信手段は、前記放送波の中心周波数を含む周波数領域を前記特定の周波数領域として、該特定の周波数領域に前記周波数編成情報を割り当てて送信することを特徴とするものである。
【００１８】
請求項７に係る発明は、請求項５または６に記載の放送装置において、
前記送信手段は、前記特定の周波数領域を特定の物理チャンネルとして、該特定の物理チャンネルに前記周波数編成情報を割り当てて送信することを特徴とするものである。
【００１９】
請求項８に係る発明は、請求項５または６に記載の放送装置において、
前記送信手段は、前記特定の周波数領域を特定の物理チャンネルにおける所定のＯＦＤＭセグメントとして、該所定のＯＦＤＭセグメントに前記周波数編成情報を割り当てて送信することを特徴とするものである。
【発明の効果】
【００２０】
本発明によれば、放送波を構成する周波数領域とサービスとの対応関係を示す周波数編成情報を、サービスが割り当てられていない特定の周波数領域に割り当てて送信するようにしたので、受信装置のユーザは、特定の周波数領域を受信することで、無駄な処理や、通信費を要することなく、どの周波数領域に、どのサービスが割り当てられているかを容易に把握することが可能となる。
【発明を実施するための最良の形態】
【００２１】
以下、本発明の実施の形態について、図を参照して説明する。
【００２２】
（第１実施の形態）
図１は、本発明の第１実施の形態に係る放送装置を用いる放送システムの概略構成図である。図１に示す放送システムは、ＩＳＤＢ−Ｔ方式を採用する地上デジタルテレビジョン放送システムで、チャンネルサーチ対象である所定の一つの物理チャンネル（例えば、５０ｃｈ）の各セグメントに複数のサービス（コンテンツ）をそれぞれ割り当てて送信する放送装置１０と、該放送装置１０から送信される放送をセグメント単位で部分受信可能な受信装置１００とを有している。
【００２３】
図２は、図１に示す放送装置１０の概略構成を示す機能ブロック図である。本実施の形態の放送装置１０は、複数の受信部１１−１〜１１−ｎ、ガイドｃｈ作成部１２、多重化処理部１３、変調部１４、送信部１５および送信アンテナ１６を有している。
【００２４】
受信部１１−１〜１１−ｎは、同様の構成からなり、代表して受信部１１−１の構成を説明すると、受信部１１−１は、ＴＳ信号受信部１７−１とサービス情報抽出部１８−１とを有している。ＴＳ信号受信部１７−１は、対応するコンテンツ記憶装置等から光ファイバやマイクロ波回線等の伝送手段を介して伝送されてくる１セグ放送用のＴＳ（トランスポートストリーム）信号、または、図示しないインターフェースを介してメモリカードやＵＳＢメモリ等の記録メディア等に記録されたＴＳ信号を受信し、その受信したＴＳ信号を、サービス情報抽出部１８−１を経て多重化処理部１３に供給する。また、サービス情報抽出部１８−１は、ＴＳ信号受信部１７−１から供給されるＴＳ信号からサービス情報を抽出し、その抽出したサービス情報をガイドｃｈ作成部１２へ供給する。なお、放送装置１０は、ＴＳ信号受信部の代わりにＴＳ信号生成部を有し、入力される映像データ、音声データ、データ放送用データに基づいてＴＳ信号を生成するように構成してもよい。
【００２５】
ガイドｃｈ作成部１２は、受信部１１−１〜１１−ｎからのサービス情報（例えば、ＰＳＩ／ＳＩ情報中のＳＤＴ；Service Description Table）に基づいて、例えば、図３に示すようなセグメントとサービスとを関連付けた周波数編成情報であるＢＭＬ(Broadcast Markup Language)からなる１セグ放送用のデータ放送、すなわち後述するガイドｃｈ用のＴＳ信号を作成する。なお、放送装置１０は、使用する物理チャンネルのサーチに使用される周波数（物理チャンネルの中心周波数）を含むセグメントにガイドｃｈを割り当て、その他のセグメントに、受信部１１−１〜１１−ｎで受信するＴＳ信号の数（サービス数）に応じて、固定的に、あるいは予め定めたプログラムに従って、各サービス（コンテンツ）を割り当てる。
【００２６】
多重化処理部１３は、受信部１１−１〜１１−ｎからのＴＳ信号と、ガイドｃｈ作成部１２からのガイドｃｈ用のＴＳ信号とを、上述したセグメントへの割り当て規則に従い多重化する。この際、デジタル放送の信号に適合するように、制御信号などを適宜追加する。この多重化処理部１３で多重化したＴＳ信号は、変調部１４へ供給する。
【００２７】
変調部１４は、多重化処理部１３で多重化したＴＳ信号を、ＯＦＤＭ信号に変換して送信部１５へ供給する。送信部１５は、変調部１４から供給されたＯＦＤＭ信号を、所定の物理チャンネルの周波数に変換した後、設定された値まで増幅して送信アンテナ１６から輻射する。したがって、本実施の形態では、放送装置１０は、ガイドｃｈ作成部１２を含んで周波数編成情報作成手段を構成し、多重化処理部１３、変調部１４、送信部１５および送信アンテナ１６を含んで送信手段を構成している。
【００２８】
図４は、本実施の形態に係る放送装置１０が送信する物理チャンネルのセグメント構成の一例を示している。
【００２９】
上述したように、本実施の形態の放送装置１０は、少なくとも１つのサービスを割り当て可能な複数の周波数領域を、ＩＳＤＢ−Ｔ方式の一つの物理チャンネルにおける１３個のＯＦＤＭセグメントとし、１セグ放送の受信装置が最初にチューニングするセグメント、すなわち当該物理チャンネルの中心周波数を含むＯＦＤＭセグメント（セグメント番号０）をガイドｃｈに設定し、このセグメント番号０を除くセグメントに、各サービス（コンテンツ）を割り当て、ガイドｃｈ（セグメント番号０）には、サービス（コンテンツ）とそのサービスを割り当てたセグメント番号とを関連付けた周波数編成情報である１セグ放送用のデータ放送を割り当てて送信する。
【００３０】
ここで、セグメント番号０のガイドｃｈに割り当てるデータ放送は、１セグ放送の受信装置において、当該物理チャンネル中の他のセグメントに割り当てられたサービス（コンテンツ）を選択するためのサービス選択画面を表示する役割と、ユーザによるサービス選択に応じてチューニングするセグメント（周波数）をチューナ部に通知する役割とを有している。このため、このデータ放送には、同一物理チャンネル中のサービスを提供している全てのセグメントへのリンクを張り、受信装置において、ユーザが希望のサービスのリンクを選択することで、ガイドｃｈが割り当てられた物理チャンネル内で、所望のサービスが放送されているセグメントを選局することができるようにする。
【００３１】
図５は、図１に示した受信装置１００の概略構成を示す機能ブロック図である。この受信装置１００は、受信アンテナ１０１、チューナ部１０２、復調部１０３、音声デコーダ部１０４、映像デコーダ部１０５、データ放送デコーダ部１０６、スピーカ１０７、画面制御部１０８および映像表示部１０９を有するとともに、全体の動作を制御する制御部１１０を有している。
【００３２】
受信アンテナ１０１で受信した地上デジタルテレビジョン放送のＲＦ信号は、チューナ部１０２に入力される。チューナ部１０２は、１セグ放送を受信する場合には、制御部１１０からの周波数（セグメント）指定命令に基づいてチューニングして、セグメント番号に対応するＲＦ信号を周波数変換して出力する。
【００３３】
チューナ部１０２から出力される信号は、復調部１０３でＭＰＥＧのＴＳ信号に復調される。復調部１０３は、ＴＳ信号内のパケットＩＤに基づいて音声パケット、映像パケット、データ放送パケットを検出し、それぞれのパケットを音声デコーダ部１０４、映像デコーダ部１０５、データ放送デコーダ部１０６へ出力する。音声デコーダ部１０４は、入力された音声パケットから音声データをデコードして、スピーカ１０７へ出力する。映像デコーダ部１０５は、入力された映像パケットから映像データをデコードして、画面制御部１０８へ出力する。また、データ放送デコーダ部１０６は、入力されたデータ放送パケットのＢＭＬに基づいて画面イメージを作成して、画面制御部１０８へ出力する。
【００３４】
画面制御部１０８は、映像デコーダ部１０５およびデータ放送デコーダ部１０６から出力されたデータを、制御部１１０による制御に基づいて映像表示部１０９へ出力して表示する。
【００３５】
この受信装置１００は、放送装置１０から送信される放送波を受信できるエリアにおいて、当該放送局１０が放送する物理チャンネル（例えば、５０ｃｈ）を選局すると、映像表示部１０９に、例えば、図６に示すように、当該物理チャンネルのガイドｃｈ（セグメント番号０）に割り当てられたデータ放送（周波数編成情報）を表示する。なお、図６は、受信装置１００が、１セグ放送受信可能な携帯電話の場合を示している。
【００３６】
ここで、映像表示部１０９に表示されたデータ放送には、上述したように、同一物理チャンネル中のサービスを提供している全てのセグメントへのリンクが張られているので、ユーザが図示しない操作キー等により所望のサービスを選択すると、制御部１１０は、その選択されたサービスが割り当てられているセグメント番号を周波数に変換して、その周波数をチューナ部１０２へ通知する。これにより、チューナ部１０２は、受信アンテナ１０１から入力されるＲＦ信号を指定された周波数でチューニングする。
【００３７】
以上のように、本実施の形態の放送装置１０は、物理チャンネルの中心周波数を含むセグメント番号０をガイドｃｈに設定し、このセグメント番号０を除く他のセグメントに、各サービス（コンテンツ）をそれぞれ割り当て、セグメント番号０（ガイドｃｈ）には、各サービスとそのサービスを割り当てたセグメント番号とを関連付けたデータ放送（周波数編成情報）を割り当てて送信する。これにより、受信装置１００は、放送装置１０が放送する物理チャンネルのガイドｃｈ（セグメント番号０）にチューニングし、そのガイドｃｈで放送されているデータ放送を映像表示部１０９に表示するので、ユーザは、当該物理チャンネル内をスキャンすることなく、当該物理チャンネル内の各セグメントで放送されているサービスを容易に把握することができるとともに、所望のサービスを選択することで、そのサービスを迅速に視聴することできる。
【００３８】
したがって、例えば、放送装置１０毎に、使用されている物理チャンネルが変わったり、あるいは物理チャンネルが同じでも放送されているサービスが変わったりする場合でも、放送装置１０が放送する物理チャンネルを受信装置１００で受信することにより、ユーザは当該放送装置１０のサービス状況を容易に把握することができる。さらに、ガイドｃｈをセグメント番号０に割り当てることで、受信装置１００が１セグ放送受信装置の場合には、最初にガイドｃｈをチューニングするので、当該放送装置１０のサービス状況を迅速に把握することができる。
【００３９】
（第２実施形態）
図７は、本発明の第２実施の形態に係る放送装置を用いる放送システムの概略構成図である。図７に示す放送システムは、第１実施の形態と同様に、ＩＳＤＢ−Ｔ方式を採用する地上デジタルテレビジョン放送システムであり、複数の放送局の送信装置を収容する地上の送信所（中継所も含む）２０からの放送電波を、本実施の形態に係る放送装置３０で受信して、各放送局の１セグ放送を、各放送局の物理チャンネルとは異なるチャンネルサーチ対象である所定の一つの物理チャンネル（例えば、５０ｃｈ）に連結して、送信所２０からの放送電波が届きにくい難視聴域（地下街、地下鉄、トンネル、ビル陰など）に送信することにより、難視聴域でも図５に示した構成の受信装置１００により１セグ放送を受信可能にしたものである。
【００４０】
図８は、図７に示す放送装置３０の概略構成を示す機能ブロック図である。本実施の形態の放送装置３０は、複数の受信部３１−１〜３１−ｎ、ガイドｃｈ作成部３２、多重化処理部３３、変調部３４、送信部３５および送信アンテナ３６を有している。
【００４１】
受信部３１−１〜３１−ｎは、本実施の形態では、送信所２０が放送する複数の放送局の１セグ放送波を受信するとともに、送信所２０に収容されている放送局以外で作成された独自放送（独自番組/自主番組）のＴＳ信号を受信する。ここで、独自放送とは、例えば、放送装置３０を設置する施設保有者などが実施する商店街や遊園地、美術館などの限られたエリアや施設の情報を提供する放送とする。図８では、便宜上、例えば、受信部３１−１は送信所２０が放送する物理チャンネルｃｈＡのＡＡＡテレビに対応し、受信部３１−２は送信所２０が放送する物理チャンネルｃｈＢのＢＢＢテレビに対応し、受信部３１−ｎは独自放送に対応するものとする。
【００４２】
送信所２０の複数の放送局に対応する受信部３１−１，３１−２，・・・は、同様の構成からなり、代表して受信部３１−１の構成を説明すると、チューナ部３７−１、復調部３８−１およびサービス情報抽出部３９−１を有している。受信部３１−１は、対応する受信アンテナ４０−１で受信したＲＦ信号をチューナ部３７−１へ供給する。チューナ部３７−１は、図示しない制御部からの制御に基づいて、対応するＡＡＡテレビの周波数（物理チャンネル）にチューニングして、受信部３１−１から供給されたＲＦ信号を周波数変換し、その周波数変換した信号を復調部３８−１に供給する。復調部３８−１は、チューナ部３７−１から供給された信号を復調して１セグ放送のＴＳ信号を抽出し、その抽出したＴＳ信号を、サービス情報抽出部３９−１を経て多重化処理部３３に供給する。また、サービス情報抽出部３９−１は、復調部３８−１から供給される１セグ放送用のＴＳ信号からサービス情報を抽出し、その抽出したサービス情報をガイドｃｈ作成部３２へ供給する。受信部３１−２等の他の放送局に対応する受信部も、受信部３１−１と同様に機能する。
【００４３】
独自放送に対応する受信部３１−ｎは、図２に示した受信部と同様に、ＴＳ信号受信部４１とサービス情報抽出部３９−ｎとを有して構成される。ＴＳ信号受信部４１は、図示しないコンテンツ記憶装置等から光ファイバ等の伝送手段を介して伝送されてくる独自放送のＴＳ信号を受信し、その受信したＴＳ信号を、サービス情報抽出部３９−ｎを経て多重化処理部３３に供給する。また、サービス情報抽出部３９−ｎは、ＴＳ信号受信部４１から供給されるＴＳ信号からサービス情報を抽出し、その抽出したサービス情報をガイドｃｈ作成部３２へ供給する。
【００４４】
ガイドｃｈ作成部３２は、受信部３１−１〜３１−ｎからのサービス情報に基づいて、セグメントとサービスとを関連付けた周波数編成情報であるＢＭＬからなる１セグ放送用のデータ放送、すなわちガイドｃｈ用のＴＳ信号を作成する。なお、放送装置３０は、第１実施の形態と同様に、使用する物理チャンネルのサーチに使用される周波数（物理チャンネルの中心周波数）を含むセグメントにガイドｃｈを割り当て、残りの他のセグメントに、受信部１１−１〜１１−ｎで受信するＴＳ信号の数（放送局数）に応じて、固定的に、あるいは予め定めたプログラムに従って、各サービス（放送局毎のＴＳ信号）を割り当てる。なお、独自放送におけるサービス名は、例えば、当該放送装置３０の放送局名、あるいは独自放送の番組名とする。
【００４５】
多重化処理部３３は、受信部３１−１〜３１−ｎからのＴＳ信号と、ガイドｃｈ作成部３２からのガイドｃｈ用のＴＳ信号とを、上述したセグメントへの割り当て規則に従って多重化する。
【００４６】
多重化処理部３３で多重化したＴＳ信号は、第１実施の形態の場合と同様に、変調部３４でＯＦＤＭ信号に変換され、さらに、送信部３５で所定の物理チャンネルの周波数に変換された後、設定された値まで増幅されて送信アンテナ３６から輻射される。したがって、本実施の形態では、放送装置３０は、ガイドｃｈ作成部３２を含んで周波数編成情報作成手段を構成し、多重化処理部３３、変調部３４、送信部３５および送信アンテナ３６を含んで送信手段を構成している。
【００４７】
図９は、本実施の形態に係る放送装置３０の概略動作および放送装置３０が送信する物理チャンネルのセグメント構成の一例を示している。
【００４８】
図９に示すように、本実施の形態の放送装置３０は、少なくとも１つのサービスを割り当て可能な複数の周波数領域を、ＩＳＤＢ−Ｔ方式の一つの物理チャンネルにおける１３個のＯＦＤＭセグメントとし、１セグ放送の受信装置１００が最初にチューニングするセグメント、すなわち当該物理チャンネルの中心周波数を含むＯＦＤＭセグメント（セグメント番号０）をガイドｃｈに設定する。さらに、放送装置３０は、このセグメント番号０を除くセグメントに、送信所２０が送信する各物理チャンネル（図９では、ｃｈＡ，ｃｈＢ，ｃｈＣ，ｃｈＺ）の１セグ放送を抜き出して割り当てるとともに、１セグ放送用の独自放送（図９では、○×○×）を割り当て、ガイドｃｈ（セグメント番号０）には、１セグ放送を割り当てたセグメントとその１セグ放送のサービスとを関連付けた周波数編成情報である１セグ放送用のデータ放送を割り当てて送信する。
【００４９】
なお、セグメント番号０のガイドｃｈに割り当てるデータ放送は、第１実施の形態の場合と同様に、１セグ放送の受信装置１００において、当該物理チャンネルの各セグメントに割り当てられた各１セグ放送を選択するための選択画面を表示する役割と、ユーザによる１セグ放送選局に応じてチューニングするセグメント（周波数）をチューナ部に通知する役割とを有している。その他の構成は、第１実施の形態と同様である。
【００５０】
図１０は、本実施の形態においてガイドｃｈで送信するデータ放送のＢＭＬソースの一例を示している。図１０においては、例えば、受信装置側でユーザにより「ＡＡＡテレビ」がクリックされると、onTune()という関数が呼ばれ、この関数の中で、idの値に応じて選局されるようになっている。ここでは、「ＡＡＡテレビ」のidには「ｃｈＡ」が入っているので、browser.tune(“11”)でセグメント番号１１に選局される。
【００５１】
したがって、本実施の形態の送信装置３０を用いる放送システムによれば、受信装置１００は、放送装置３０が放送する物理チャンネルのガイドｃｈにチューニングして、そのガイドｃｈで放送されているデータ放送を映像表示部１０９に表示するので、ユーザは、当該物理チャンネル内をスキャンすることなく、当該物理チャンネルの各セグメントで送信されているサービス、すなわち、送信所２０が送信しているサービスと、放送装置３０が独自放送しているサービスとを容易に把握することができるとともに、表示されたサービスから所望のサービスを選択することにより、その選択したサービスを迅速に視聴することできる。
【００５２】
（第３実施の形態）
図１１は、本発明の第３実施の形態に係る放送装置の概略構成図である。本実施の形態の放送装置５０は、例えば送信所（中継所も含む）に設置されるもので、各放送局に対応する複数の送信手段５１−１〜５１−ｎと、当該放送装置５０が送信する放送波の周波数編成情報を送信する送信手段５２とを有している。ここでは、便宜上、例えば、送信手段５１−１は物理チャンネルｃｈＡのＡＡＡテレビに対応し、送信手段５１−ｎは物理チャンネルｃｈＺのテレビＺＺＺに対応するものとする。また、送信手段５１−１〜５１−ｎおよび５２は、それぞれＩＳＤＢ−Ｔ方式の地上デジタルテレビジョン信号を送信する。
【００５３】
放送局に対応する送信手段５１−１〜５１−ｎは、同様の構成からなり、代表して送信手段５１−１の構成を説明すると、送信手段５１−１は、受信部５３−１、変調部５４−１および送信部５５−１を有している。また、受信部５３−１は、ＴＳ信号受信部５６−１とサービス情報抽出部５７−１とを有している。
【００５４】
送信手段５１−１は、受信部５３−１のＴＳ信号受信部５６−１により、対応する放送局（ＡＡＡテレビ）のコンテンツ記憶装置等から光ファイバやマイクロ波回線等の伝送手段を介して伝送されてくるＴＳ信号を受信し、その受信したＴＳ信号を、サービス情報抽出部５７−１を経て変調部５４−１へ供給する。
【００５５】
変調部５４−１は、受信部５３−１からのＴＳ信号を、ＯＦＤＭ信号に変換して送信部５５−１へ供給する。送信部５５−１は、変調部５４−１から供給された信号を所定の物理チャンネル（ｃｈＡ）の周波数に変換した後、設定された値まで増幅して、対応する送信アンテナ５８−１から輻射する。また、サービス情報抽出部５７−１は、ＴＳ信号受信部５６−１から供給されるＴＳ信号からサービス情報を抽出し、その抽出したサービス情報を送信手段５２へ供給する。他の放送局に対応する送信手段も、送信手段５１−１と同様であり、それぞれ受信したＴＳ信号をＯＦＤＭ信号に変換して、異なる物理チャンネルの周波数に変換して送信する。
【００５６】
一方、周波数編成情報を送信する送信手段５２は、ガイドｃｈ作成部６１、変調部６２および送信部６３を有している。ガイドｃｈ作成部６１は、送信手段５１−１〜５１−ｎからのサービス情報に基づいて、物理チャンネルまたはリモコンチャンネルの番号とサービス名（放送局名）とを関連付けた周波数編成情報であるＢＭＬからなるデータ放送、すなわちチャンネルガイド用のＴＳ信号を作成する。
【００５７】
ガイドｃｈ作成部６１で作成された周波数編成情報のデータ放送のＴＳ信号は、変調部６２で１３セグメントのＯＦＤＭ信号に変換され、さらに、送信部６３において、送信手段５１−１〜５１−ｎの物理チャンネルとは異なる所定の物理チャンネル（ｃｈＭＭ）の周波数に変換された後、設定された値まで増幅されて、対応する送信アンテナ６４から輻射される。したがって、本実施の形態では、ガイドｃｈ作成部６１を含んで周波数編成情報作成手段を構成し、変調部６２、送信部６３および送信アンテナ６４を含んで、周波数編成情報の送信手段を構成している。
【００５８】
ここで、送信手段５２から送信するデータ放送は、受信装置において、当該放送装置５０から送信している放送局の物理チャンネルまたはリモコンチャンネルを表示する役割と、ユーザによる選局時にチューニングする物理チャンネル（周波数）をチューナ部に通知する役割とを有する。
【００５９】
図１２は、本実施の形態の放送装置５０が送信する放送波の物理チャンネル構成の一例を示している。
【００６０】
上述したように、本実施の形態の送信装置５０は、少なくとも１つのサービスを割り当て可能な複数の周波数領域を、それぞれ放送局の物理チャンネルとし、それらの物理チャンネルとサービス（放送局）との対応関係を示す周波数編成情報を、放送局とは異なる特定の物理チャンネルに割り当てて送信する。これにより、受信装置においては、１セグ放送を受信する移動型またはＨＤＴＶ放送を受信する固定型に拘わらず、送信手段５２が放送する物理チャンネルを受信し、その受信したデータ放送を表示部に表示することで、ユーザは、放送局のウェブサイトにアクセスしたり、チャンネルスキャンしたりすることなく、放送装置５０が放送しているサービスを容易に把握することができるとともに、所望のサービスを選択することで、そのサービスを迅速に視聴することできる。
【００６１】
したがって、例えば、放送装置５０において、放送局に対応する送信手段５１−１〜５１−ｎが使用する物理チャンネルが代わったり、放送局が追加または減少して物理チャンネルが変更になったりした場合でも、チャンネルスキャンすることなく、送信手段５２が放送する物理チャンネルを受信することで、容易に対処することができる。また、エリア毎にサービス編成の異なる放送装置５０が設置されている場合に、受信エリアが変わった際にも全チャンネルスキャンすることなく、ガイドｃｈにチューニングするだけで、当該エリアでのサービス内容を容易に把握することができる。
【００６２】
なお、本発明は、上記実施の形態にのみ限定されるものではなく、幾多の変形または変更が可能である。例えば、上述した実施の形態では、データ放送として送信する周波数編成情報に、ＰＳＩ／ＳＩ情報中のＳＤＴから取得したサービス名（放送局）を含ませるようにしたが、ＰＳＩ／ＳＩ情報を含ませて、受信装置側でその情報を取り出すようにすることもできる。また、周波数編成情報は、データ放送だけでなく、サービスを紹介するような映像や音声を追加することもできる。また、放送するサービス（番組内容）は、ＴＳ信号で受信する場合に限らず、映像および音声が分離された信号として入力して、放送装置側でＴＳ信号に変換して送信することもできる。
【００６３】
さらに、第２実施の形態において、放送装置３０から送信する放送波は、１つの送信アンテナ３６を用いて送信する場合に限らず、放送装置３０の設置場所に応じて、複数の小型アンテナを用いて送信したり、漏洩ケーブルを用いて送信したりすることもできる。また、第２実施の形態において、放送装置３０は、送信所２０から送信される各放送局の放送波を個々の受信アンテナで受信する場合に限らず、共通の受信アンテナで受信するように構成したり、あるいは、各放送局の放送番組を光ファイバやマイクロ波回線等を介してＴＳ信号で受信するように構成したりすることもできる。さらに、第２実施の形態において、放送装置３０で連結して送信する独自放送は、１つのコンテンツに限らず、複数のコンテンツとすることもできる。
【００６４】
また、第３実施の形態の放送装置５０では、各送信手段に対応して送信アンテナを設けたが、全ての送信手段で１つの送信アンテナを共用したり、あるいは、隣接する２つの物理チャンネルに対応する２つの送信手段で１つの送信アンテナを共用したりするように構成することもできる。
【００６５】
さらに、本発明は、ＩＳＤＢ−Ｔ方式を採用する放送装置に限らず、ＩＳＤＢ−Ｔｓｂを採用する地上デジタル音声放送、衛星デジタルＴＶ放送、微弱電波を利用する各種放送などにも、有効に適用することができる。
【図面の簡単な説明】
【００６６】
【図１】本発明の第１実施の形態に係る放送装置を用いる放送システムの概略構成図である。
【図２】第１実施形態に係る放送装置の概略構成を示す機能ブロック図である。
【図３】第１実施形態に係る放送装置が送信する周波数編成情報の一例を示す図である。
【図４】第１実施の形態に係る放送装置が送信する物理チャンネルのセグメント構成の一例を示す図である。
【図５】図１に示した受信装置の概略構成を示す機能ブロック図である。
【図６】図５に示した映像表示部への周波数編成情報の表示例を示す図である。
【図７】本発明の第２実施の形態に係る放送装置を用いる放送システムの概略構成図である。
【図８】第２実施の形態に係る放送装置の概略構成を示す機能ブロック図である。
【図９】第２実施の形態に係る放送装置の概略動作および該放送装置が送信する物理チャンネルのセグメント構成の一例を示す図である。
【図１０】第２実施の形態に係る放送装置がガイドｃｈで送信するデータ放送のＢＭＬソースの一例を示す図である。
【図１１】本発明の第３実施の形態に係る放送装置の概略構成図である。
【図１２】第３実施の形態に係る放送装置が送信する物理チャンネルの一例の構成図である。
【符号の説明】
【００６７】
１０  放送装置
１１−１〜１１−ｎ  受信部
１２  ガイドｃｈ作成部
１３  多重化処理部
１４  変調部
１５  送信部
１６  送信アンテナ
１７−１〜１７−ｎ  ＴＳ信号受信部
１８−１〜１８−ｎ  サービス情報抽出部
２０  送信所
３０  放送装置
３１−１〜３１−ｎ  受信部
３２  ガイドｃｈ作成部
３３  多重化処理部
３４  変調部
３５  送信部
３６  送信アンテナ
３７−１，３７−２  チューナ部
３８−１，３８−２  復調部
３９−１〜３９−ｎ  サービス情報抽出部
４１  ＴＳ信号受信部
５０  放送装置
５１−１〜５１−ｎ，５２  送信手段
５３−１〜５３−ｎ  受信部
５４−１〜５４−ｎ，６２  変調部
５５−１〜５５−ｎ，６３  送信部
５６−１〜５６−ｎ  ＴＳ信号受信部
５７−１〜５７−ｎ  サービス情報抽出部
５８−１〜５８−ｎ，６４  送信アンテナ
６１  ガイドｃｈ作成部
１００  受信装置
【図１】
2008289013.tif 000003
【図２】
2008289013.tif 000004
【図３】
2008289013.tif 000005
【図４】
2008289013.tif 000006
【図５】
2008289013.tif 000007
【図６】
2008289013.tif 000008
【図７】
2008289013.tif 000009
【図８】
2008289013.tif 000010
【図９】
2008289013.tif 000011
【図１０】
2008289013.tif 000012
【図１１】
2008289013.tif 000013
【図１２】
2008289013.tif 000014